(57)【特許請求の範囲】
【請求項１】
２進化された暗証番号のべき数を、一定のパターンで展開した２ｎ（ｎ：１以上の正の整数）個の小区域の内一対の小区域を選択することにより表わし、２進化された暗証番号の各桁の１か０かのビット内容を、その桁に割り当てられた一対の小区域の一方を穿孔し、他方をその儘残すことにより表わした鍵カードと、鍵カードとほぼ同じ構成で、２進化された暗証番号の各桁の１か０かのビット内容を、鍵カードとは反対に一対の小区域の他方を穿孔し、一方をその儘残すことにより表わした錠カードと、この錠カードに重合された状態で結合された弾性材質の板状体で、錠カードの小区域と整合する部分に、それぞれ板厚方向に延伸すると共に両端が表面側及び裏面側に突出した短筒体を、可撓支持部を介して一体に形成したコード板と、一面が開口した可撓弾性袋体と、この可撓弾性袋体に接続された空気アクチュエータと、鍵カードを保持するカードホルダーと、これらを内部に収納する錠箱とを有し、錠箱内に固定された可撓弾性袋体の開口に、これを覆うように錠カードとコード板とを重合したものをコード板を外側にして結合し、一方、カードホルダーに保持された鍵カードがコード板と平行な位置関係を保ってこれに近接できるように、カードホルダーを錠箱内において支持、案内したことを特徴とする簡易カード錠。
【発明の詳細な説明】
【０００１】
【産業上の利用分野】
この発明は簡易カード錠に係り、特に、構造が非常に簡単で製造コストを顕著に低減し得る簡易カード錠に関する。
【０００２】
【従来の技術】
例えば銀行カードのようなカードに暗証符号を書き込み、これを読み取って予め電気錠に蓄積されている暗証符号と比較し、合致したときに電気錠の解錠信号が発生するようにした所謂カード錠が近年実用されている。
【０００３】
このカード錠は、鍵カードとして磁気カード、或いは穿孔カード等を用いるので、持ち運びに便利であり、また、通常複製が困難なので、比較的安全性が高いという利点がある。
【０００４】
【発明が解決しようとする課題】
しかして、従来のカード錠は、例えば磁気ストライプに書き込まれた磁気記録信号を磁気ヘッドで読み出したり、或いは穿孔の有無を光電素子により光学的に読み取って穿孔の有無や配列によって現わされた信号を増幅して制御回路に供給するように構成されている。
【０００５】
つまりは、カード上の信号を一旦電気的な信号に変換し、以後エレクトロニクス技術を応用した装置により、これらの信号を電気的に処理する。
【０００６】
その為、信号を読み出す装置、増幅回路及びマイクロコンピュータ等で信号を処理しなければならず、必然的に装置が複雑になり、また、高価にならざるを得ないので、この点がカード錠の普及上のネックになっていた。
【０００７】
この発明は、上記の不都合を解消し、非常に簡単な構成の新規なカード錠を提供することを目的としている。
【０００８】
【課題を解決するための手段】
上記の目的を達成するため、この発明は、２進化された暗証番号のべき数を、一定のパターンで展開した２ｎ（ｎ：１以上の正の整数）個の小区域の内一対の小区域を選択することにより表わし、２進化された暗証番号の各桁の１か０かのビット内容を、その桁に割り当てられた一対の小区域の一方を穿孔し、他方をその儘残すことにより表わした鍵カードと、鍵カードとほぼ同じ構成で、２進化された暗証番号の各桁の１か０かのビット内容を、鍵カードとは反対に一対の小区域の他方を穿孔し、一方をその儘残すことにより表わした錠カードと、この錠カードに重合された状態で結合された弾性材質の板状体で、錠カードの小区域と整合する部分に、それぞれ板厚方向に延伸すると共に両端が表面側及び裏面側に突出した短筒体を、可撓支持部を介して一体に形成したコード板と、一面が開口した可撓弾性袋体と、この可撓弾性袋体に接続された空気アクチュエータと、鍵カードを保持するカードホルダーと、これらを内部に収納する錠箱とを有し、錠箱内に固定された可撓弾性袋体の開口に、これを覆うように錠カードとコード板とを重合したものをコード板を外側にして結合し、一方、カードホルダーに保持された鍵カードがコード板と平行な位置関係を保ってこれに近接できるように、カードホルダーを錠箱内において支持、案内したことを特徴とする。
【０００９】
【作用】
上記のように構成された本発明による簡易カード錠は、鍵カード及び錠カードに同じ暗証符号を穿孔のパターンによって記録し、錠カードをコード板と結合した状態で錠箱内に装着し、鍵カードを通常の鍵と同様に持ち運び、扉口を開閉するとき錠箱内のカードホルダーに装着して使用する。
【００１０】
鍵カードと錠カードに同じ暗証符号を記録したとき、２進化された暗証符号の各桁の０か１かのビット内容は鍵カードにおいても、また錠カードにおいても同じである。
【００１１】
したがって、２進化された暗証番号のある桁に着目し、この桁のビット内容が例えば１であるとすると、この桁に対応する鍵カード１の一対の小区域Ｓ１，Ｓ２（図１参照）の一方の小区域Ｓ１を穿孔し、Ｓ２をその儘残すものとする。
【００１２】
一方、錠カード２においては、鍵カード１とは反対に、この桁に対応する一対の小区域Ｓ１、Ｓ２（図２参照）の一方の小区域Ｓ１をその儘残し、Ｓ２の方を穿孔する。
【００１３】
したがって、鍵カード１及び錠カード２を重合すると、この桁に対応する一対の小区域の内、穿孔された鍵カードの一方の小区域Ｓ１と、穿孔されない錠カードの一方の小区域Ｓ１が重合し、穿孔されない鍵カードの他方の小区域Ｓ２と、穿孔された錠カードの他方の小区域Ｓ２とが重合する結果、この桁に対応する部分には穴が開かない。
【００１４】
鍵カード１及び錠カード２は２進化された暗証番号の各桁において上記のように構成されているから、これらの両カードを重合して光に翳してみると、全部の小区域において一方が穿孔され、他方が穿孔されていないから、光が洩れてこない。
【００１５】
一方、２進化された暗証番号が鍵カード１と錠カード２とで異なる場合には、少なくとも１つの桁のビット内容が相互に異なる。
【００１６】
この場合、当該桁の一対の小区域の一方又は他方の小区域Ｓ１又はＳ２が共に穿孔される。
【００１７】
したがって、鍵カード及び錠カードを重合した場合、ビット内容が異なる桁に対応する部分に穴が開く。
【００１８】
上記のような機能を有する錠カードを、図３に示すように、コード板５の裏面側（図３において右側）に重合して結合する。
【００１９】
すると、図６及び図７に示すように各小区域Ｓに対応して１本ずつ配設され、それぞれ可撓支持部２４を介し、コード板５に垂直な関係位置を保って形成された２ｎ本の短筒体２３、２３の内、穿孔されていない錠カード２の小区域Ｓに対応している短筒体２３は、錠カード２に押されて表面側（図７において左方）に大きく突出する。
【００２０】
一方、穿孔されている錠カードの小区域Ｓに対応している短筒体２３は、コード板５の裏面側に突出している短筒体がその穿孔された小区域に遊嵌して係入するので、短筒体の表面側の端部はコード板から大きく突出しない。
【００２１】
この状態で合鍵となる鍵カード１をコード板５の表面側に押し付けると、図７に示すように、穿孔されていない錠カードの小区域に押されて表面側に大きく突出した短筒体は、対応する鍵カードの小区域の穿孔された部分に遊嵌して係入するから、鍵カードの穿孔されていない小区域はコード板に近接して対応する短筒体の表面側の開口に接触してこれを閉塞することができる。
【００２２】
つまり、コード板に形成された２ｎ本の短筒体の内、鍵カードの穿孔された小区域に対応するものはその裏面側の開口を錠カードに閉塞され、鍵カードの穿孔されていない小区域に対応するものはその表面側の開口を鍵カードによって閉塞される。
【００２３】
換言すれば、２ｎ本の全短筒体２３、２３・・・は、その表面側或いは裏面側の開口の一方を、鍵カード或いは錠カードの穿孔されていない小区域部分で閉塞される。
【００２４】
その結果、鍵カードを錠カード側に押動すると、錠カード２及びコード板５に覆われた可撓弾性袋体６の開口は気密に閉塞されることになるから、内部の空間は高圧となり、その高圧の空気が空気アクチュエータを駆動して、例えばマイクロスイッチを駆動して電気錠の解錠信号を発生させ、或いは、直接アクチュエータにより錠止機構を操作して、解錠及び／又は施錠操作を行わせることができる。
【００２５】
他方、鍵カードに記録された暗証番号が錠カードに記録されたそれと異なる場合は、少なくとも１つの桁の一対の小区域の一方又は他方が共に穿孔されている筈である。
【００２６】
このときには、図８に示すように、穿孔されていない錠カード２の小区域に押されて表面側に突出した短筒体２３の表面側の開口端面が、穿孔されていない鍵カードの小区域によって閉塞されるというか、鍵カード側から見れば、突出している短筒体に邪魔されてコード板に近接することができない。
【００２７】
その為、コード板と鍵カードとの間に隙間ができ、鍵カードを更に錠カード方向に押動すると、可撓弾性袋体の中の空気は両端が開いた少なくとも１本の短筒体を通って外部に抜けてしまい、したがって空気アクチュエータは作動しない。
【００２８】
【実施例】
以下、この発明の一実施例を図面を参照して説明する。
図１及び図２において、符号１は鍵カードを、符号２は錠カードをそれぞれ示す。図示の実施例では、鍵カードは所謂テレホンカードのように薄い合成樹脂製のカードであり、錠カードは、例えば銀行用のキャッシュカードのように一寸厚くて剛性がある、これも合成樹脂製のカードであるものとする。
【００２９】
上記鍵カード１及び錠カード２には、それぞれ同じ展開パターンで、３２個の円形の小区域Ｓ１、Ｓ２・・・Ｓ３２が設定されている。
【００３０】
そして、暗証番号は、以下に述べる法則に則って小区域Ｓを選択的に穿孔することにより、鍵カード１及び錠カード２に記録される。
【００３１】
即ち、先ず鍵カード１及び錠カード２に記録すべき暗証番号を２進化し、２進化された暗証番号のべき数を小区域群の内一対の小区域Ｓｉ、Ｓｊを選択することにより表わす。
【００３２】
例えば、実施例では、２進化された暗証番号の０次（べき数０）の桁を最上列左側のＳ１、Ｓ２に対応させることにより表わす。換言すれば、０次の桁を小区域Ｓ１、Ｓ２に割り当てる。
【００３３】
同様にして、１次〜１５次の桁を、重複しないように、一対の小区域Ｓｉ、Ｓｊに割り当てる。尚、このとき、各次の桁に割り当てる小区域は、必ずしも隣接するものを選択する必要はなく、要するに重複しなければその選択、組合せは自由である。
【００３４】
このようにすると、図示の実施例における鍵カード１及びこれと対をなして使用される錠カード２には、それぞれ２の１６乗、即ち約６５，５００の暗証番号を区別して記録することができる。
【００３５】
そして、２進化された暗証番号の各桁の１か０かのビット内容は、ビット内容が１であるとき、鍵カード１においてはサフィックス番号が若い小区域Ｓ１を穿孔し、ビット内容が０であるとき、サフィックス番号が大きい小区域Ｓ２を穿孔することにより表わす。図示の実施例では、小区域Ｓを実線で表わすことにより穿孔されたことを示す（図１参照）。
【００３６】
一方、錠カード２においては、鍵カード１とは反対にビット内容が１のときには小区域Ｓ２を穿孔し、ビット内容が０のときに小区域Ｓ１を穿孔する。
【００３７】
上記のように構成された鍵カード１は、図３に示すカードホルダー３のスリット４に挿入して使用される。
【００３８】
また、錠カード２は、後述するコード板５の裏面側（図３で左側）に重合された状態で、例えば接着剤により相互に一体に結合され、これも後述する例えば合成樹脂製のベローズ等の可撓弾性袋体６の開口を覆うように、例えば接着剤によって固定される。
【００３９】
鍵カード１及び錠カード２が錠箱７内に挿入され、或いは装着された状態では、両カードとも図１或いは図２に示す面を図３で左側に向けている。
【００４０】
その為、鍵カード１と錠カード２とに記録された暗証番号が同じものであるときには、２進化された暗証番号の各次の桁において、穿孔部分と穿孔しない部分が重なり合い、光に翳してみたとき、穴が開いていないように見えることは前記したとおりである。
【００４１】
しかして、上記鍵カード１を保持すると共に、これを厚さ方向に移動可能に案内するカードホルダー３は、図３及び図５に示すように構成されている。
【００４２】
即ち、カードホルダー３は、錠箱の内側から順に、中央部に小区域群Ｓ、Ｓを包囲できる矩形の開口８ａを形成したマスク板８、全体の形状がコ字形で、そのコ字形内に鍵カード１を収納できるスペーサー板９、及び、このスペーサー板９内に鍵カード１が収納されたとき、その小区域Ｓ、Ｓと整合する部分に同形の穴を同数開口させたバックアップ板１１を重合して結合し、更に、４隅において短筒状のスペーサー１２を介して、背板１３を呼び付けるようにねじで結合してある。
【００４３】
背板１３の外面（図３で左側の面）中央にはプラグ１４が植設されており、このプラグ１４と錠箱正面板に形成された案内筒１５との嵌合により、カードホルダー３はその厚さ方向、すなわち図３で左右方向に移動できるように案内されている。
【００４４】
また、カードホルダー３の上端及び下端部のほぼ中央を、錠箱の底板７０（図３参照）に植設された案内杆１６がそれぞれ摺動可能に貫通している。これらの案内杆１６、１６は、カードホルダー３の回り止めとなっている。
【００４５】
更にまた、各案内杆１６に巻装された圧縮コイルばねとしてのホルダーばね１７の弾力により、カードホルダー３はプラグ１４が錠箱７から突出する方向に、即ち図３で左方に付勢されている。
【００４６】
上記した構造のカードホルダー３内に鍵カードを装入するため、錠箱７の側面に錠箱スリット１８が開口している。
【００４７】
また、カードホルダー内に鍵カード１を装入したり、カードホルダー３から鍵カード１を摘み出しやすくするために、錠箱スリット１８のほぼ中央に一対の蓋板１９、１９が設けられている。
【００４８】
各蓋板１９は、それぞれ支軸２１を中心に錠箱７内に入り込む方向に回動できるように案内されており、外方に付勢されている。そして、左右一対の蓋板１９、１９は、錠箱内に八の字形に開いて、鍵カード１を装入し易く、また、抜出し易くしている。
【００４９】
尚、図５において符号２２は円弧の一部をなす切欠であり、カードホルダー３から鍵カード１を抜出し易くするために形成されたものである。
【００５０】
一方、錠カード２に結合される前記コード板５は、図３及び図６に示すように、カードホルダ−３のマスク板の開口８ａ（図５参照）に入り込めるように、表面（図３で左側の面）に段部を形成した弾性材質の板状体である。
【００５１】
このコード板５の材質としては、例えばシリコンゴムのように長期間材質の劣化が生じないものが望ましい。
【００５２】
そして、このコード板５の裏面に結合された錠カード２の小区域Ｓと整合する部分に、勿論小区域群Ｓ、Ｓの展開パターンと同一のパターンで、これらと同数の計３２本の短筒体２３、２３が配設されている。
【００５３】
尚、図６においては、図面を明瞭にするため、コード板５の向かって右上の３本のみの短筒体２３、２３を示し、他の短筒体は方眼線の交点で示す。
【００５４】
自然状態における各短筒体２３は、図７で上の２つの短筒体のように、コード板５の厚さ方向に延在する筒体であり、その外端（図７で左端）及び内端（図７で右端）はコード板５の表面及び裏面から若干突出するようにその長さやコード板本体部に対する関係位置が設定されている。
【００５５】
また、各短筒体２３の周囲は環状に肉が盗まれて可撓支持部２４が形成されている。
【００５６】
図３及び図７に示すように例えば接着剤により一体に接合されたコード板５及び錠カード２は、例えば合成樹脂製のベローズのような可撓弾性袋体６の開口を気密に覆って、これも接着剤で固定されている。
【００５７】
尚、図３におけるベローズ６の右端は矢張り接着剤で錠箱の底板７０に固定されており、これらベローズ６、錠カード２及びコード板５はベローズ６自身の剛性により錠箱内に支持されている。
【００５８】
尚、可撓弾性袋体６は、図示の実施例のようにベローズに限定されることなく、例えばゴム製の中空箱等を採用することができるのは言うまでも無い。
【００５９】
また、図６において符号２５はエアピストン等の空気アクチュエータを、符号２６はマイクロスイッチをそれぞれ示し、鍵カード１の暗証番号と錠カードのそれとが一致したとき、錠カードを可撓弾性袋体６に押し付けると、前記したように開口を気密に閉塞された可撓弾性袋体６の空気が逃げ場を失い、空気アクチュエータ２５に流れ込む結果、そのピストンが伸長してマイクロスイッチ２６を駆動する。
【００６０】
尚、空気アクチュエータによってマイクロスイッチを駆動し、発生した解錠信号で電気錠を制御することもできるが、空気アクチュエータの機械的な力を利用して直接錠止機構を制御できることは言う迄も無い。
【００６１】
【発明の効果】
以上の説明から明らかなように、この発明は、鍵カード及び錠カードを特徴ある方法で穿孔して暗証番号を記録し、これらの間にコード板を挟んだとき、鍵カードと錠カードの暗証番号が一致したときにのみコード板に形成された全短筒体が閉塞されるようにしたので、可撓弾性袋体を圧縮して空気が洩れないか如何かを検知するだけで鍵カードと錠カードの暗証番号の一致、不一致を検定できる。
【００６２】
また、図示したようにカード錠を構成する部品の数が著しく少ないので、構造が簡単であり、一番複雑な構成のコード板が１回の成形で製造できることとも相俟って、コード錠の価格を大幅に引き下げることができる。
【００６３】
更にまた、電気を使用しないので、保守点検も簡単である、等種々の効果を奏する。
【図面の簡単な説明】
【図１】鍵カードの正面図。
【図２】錠カードの正面図。
【図３】本発明の一実施例による簡易カード錠の断面図。
【図４】その側面図。
【図５】図３のＶ−Ｖ線による断面図。
【図６】図３のＶＩ−ＶＩ線による断面図。
【図７】図６のＶＩＩ−ＶＩＩ線による拡大断面図で、鍵カードと錠カードの暗証番号が一致している場合を示す。
【図８】図６のＶＩＩＩ−ＶＩＩＩ線による拡大断面図で、鍵カードと錠カードの暗証番号が一致していない場合を示す。
【符号の説明】
１  鍵カード
２  錠カード
３  カードホルダー
５  コード板
６  可撓弾性袋体
７  錠箱
１７  ホルダーばね
２３  短筒体
２４  可撓支持部
２５  空気アクチュエータ
２６  マイクロスイッチ
【図１】
0003681437.tif 000002
【図２】
0003681437.tif 000003
【図３】
0003681437.tif 000004
【図４】
0003681437.tif 000005
【図５】
0003681437.tif 000006
【図６】
0003681437.tif 000007
【図７】
0003681437.tif 000008
【図８】
0003681437.tif 000009